(57)【要約】【課題】袖瓦の上下左右方向のずれを抑制する技術を提供する。【解決手段】  袖瓦１０は、瓦本体１２と、瓦本体１２の左右方向の一端に配置される垂れ部１４と、を備える。垂れ部１４は、尻頭方向の一方の端に、瓦本体１２と左右方向に隙間を有して対向する第１対向部と、尻頭方向の他方の端に、瓦本体と上下方向に隙間を有して対向する第２対向部２２と、有している。葺設時に、第１対向部と瓦本体１２との隙間に尻頭方向の一方の端に隣接する袖瓦の垂れ部１４が配置され、第２対向部２２と瓦本体１２との隙間に尻頭方向の他方の端に隣接する袖瓦１０の瓦本体１２が配置される。【選択図】図３
2016121437.tif 000002
【特許請求の範囲】
【請求項１】
瓦本体と、
前記瓦本体の左右方向の一端に配置される垂れ部と、を備え、
前記垂れ部は、
尻頭方向の一方の端に、前記瓦本体と左右方向に隙間を有して対向する第１対向部と、
尻頭方向の他方の端に、前記瓦本体と上下方向に隙間を有して対向する第２対向部と、有しており、
葺設時に、前記第１対向部と前記瓦本体との前記隙間に尻頭方向の前記一方の端に隣接する袖瓦の垂れ部が配置され、前記第２対向部と前記瓦本体との前記隙間に尻頭方向の前記他方の端に隣接する袖瓦の前記瓦本体が配置される、袖瓦。
【請求項２】
前記垂れ部は、前記第１対向部と前記第２対向部との間に配置されており、前記瓦本体の左右方向の前記一端から下方に伸びる垂れ部本体を、さらに備え、
前記第１対向部は、前記垂れ部本体に沿って上下方向に伸びている、請求項１に記載の袖瓦。
【請求項３】
前記第２対向部は、前記垂れ部本体の尻頭方向の前記他方の端から突出しており、
前記第２対向部の前記上下方向の長さは、前記垂れ部本体の前記上下方向の長さよりも短く、
前記第２対向部の下端面は、前記垂れ部本体の下端面と同一平面上に位置する、請求項２に記載の袖瓦。
【請求項４】
前記垂れ部は、さらに、前記第２対向部と前記瓦本体との前記隙間に配置されており、前記第２対向部と前記瓦本体に連結される挿入部を備え、
前記挿入部の板厚は、前記第２対向部の板厚よりも薄く、
葺設時に、前記挿入部は、前記尻頭方向の前記他方の端部に隣接する前記袖瓦の前記第１対向部と前記瓦本体との前記隙間に配置される、請求項１から３のいずれか一項に記載の袖瓦。
【請求項５】
前記一方の端部は、尻側の端部であり、
前記他方の端部は、頭側の端部である、請求項１から４のいずれか一項に記載の袖瓦。
【発明の詳細な説明】
【技術分野】
【０００１】
本明細書によって開示される技術は、瓦本体と垂れ部を備える袖瓦に関する。
【背景技術】
【０００２】
特許文献１に、瓦本体と垂れ部を備える袖瓦が開示されている。垂れ部は、瓦本体から下方に伸びている。垂れ部の頭側には、垂れ部の内側面に係合用の凸部が配置されている。葺設時には、凸部と瓦本体との間に、頭側に配置される他の袖瓦の瓦本体の尻側端部が挿入される。これにより、例えば、瓦が強風に晒される場合に、凸部が頭側に配置される他の袖瓦の瓦本体の尻側端部に係合して、瓦がずれたり、浮き上がったりすることが抑制される。
【０００３】
【特許文献１】特開２００３−９０１０２号公報
【発明の概要】
【発明が解決しようとする課題】
【０００４】
上記の技術では、袖瓦の上下方向のずれは抑制されるが、左右方向のずれは考慮されていない。本明細書は、袖瓦の上下左右方向のずれを抑制する技術を提供する。
【課題を解決するための手段】
【０００５】
本明細書で開示される技術は、袖瓦に関する。袖瓦は、瓦本体と、瓦本体の左右方向の一端に配置される垂れ部と、を備える。垂れ部は、尻頭方向の一方の端に、瓦本体と左右方向に隙間を有して対向する第１対向部と、尻頭方向の他方の端に、瓦本体と上下方向に隙間を有して対向する第２対向部と、有している。葺設時に、第１対向部と瓦本体との隙間に尻頭方向の一方の端に隣接する袖瓦の垂れ部が配置され、第２対向部と瓦本体との隙間に尻頭方向の他方の端に隣接する袖瓦の瓦本体が配置される。
【０００６】
上記の袖瓦（以下では「対象瓦」と呼ぶ）では、葺設時に、第１対向部と瓦本体との隙間に、尻頭方向の一方の端部に隣接する袖瓦の垂れ部が配置される。この構成では、対象瓦が左右方向にずれようとすると、第１対向部と瓦本体との少なくとも一方が隣接する袖瓦の垂れ部に当接する。この結果、対象瓦が隣接する袖瓦に対して左右方向にずれることを抑制することができる。また、葺設時に、第２対向部と瓦本体との隙間に、尻頭方向の他方の端部に隣接する袖瓦の瓦本体が配置される。この構成では、対象瓦が上下方向にずれようとすると、第２対向部と瓦本体との少なくとも一方が尻頭方向の他方の端部に隣接する袖瓦の瓦本体に当接する。この結果、対象瓦が尻頭方向の他方の端部に隣接する袖瓦に対して上下方向にずれることを抑制することができる。この構成によれば、尻頭方向に隣接する瓦に対して、対象瓦が上下左右方向にずれることを抑制することができる。
【発明の効果】
【０００７】
本明細書に開示される技術によれば、葺設された瓦屋根が強風等によって崩れることを抑制することができる。
【図面の簡単な説明】
【０００８】
【図１】袖瓦が葺設されている状態を示す。
【図２】第１実施例の袖瓦の上面斜視図を示す。
【図３】第１実施例の袖瓦の裏面斜視図を示す。
【図４】第１実施例の第１対向部周辺の拡大斜視図を示す。
【図５】第１実施例の葺設時の袖瓦を説明するための組立図を示す。
【図６】第１実施例の葺設時の袖瓦を説明するための裏面斜視図を示す。
【図７】第２実施例の袖瓦の裏面斜視図を示す。
【図８】第２実施例の第１対向部周辺の拡大斜視図を示す。
【図９】第２実施例の葺設時の袖瓦を説明するための組立図を示す。
【図１０】第２実施例の葺設時の袖瓦を説明するための裏面斜視図を示す。
【発明を実施するための形態】
【０００９】
以下に説明する実施例の主要な特徴を列記する。なお、以下に記載する技術要素は、それぞれ独立した技術要素であって、単独であるいは各種の組合せによって技術的有用性を発揮するものである。
【００１０】
（特徴１）  袖瓦において、垂れ部は、第１対向部と第２対向部との間に配置されており、瓦本体の左右方向の一端から下方に伸びる垂れ部本体を、さらに備えていてもよい。第１対向部は、垂れ部本体に沿って上下方向に伸びていてもよい。この構成によれば、尻頭方向の一方の端に隣接する袖瓦の垂れ部が上下方向に伸びる第１対向部に接触することによって、隣接する袖瓦同士の左右方向のずれを適切に抑制することができる。
【００１１】
（特徴２）  袖瓦において、第２対向部は、垂れ部本体の尻頭方向の他方の端から突出していてもよい。第２対向部の上下方向の長さは、垂れ部本体の前記上下方向の長さよりも短くてもよい。第２対向部の下端面は、垂れ部本体の下端面と同一平面上に位置していてもよい。この構成によれば、垂れ部の一部の長さを短くすることによって、垂れ部の下端面に段差を設けることなく、垂れ部に第２対向部を配置することができる。
【００１２】
（特徴３）  袖瓦において、垂れ部は、第２対向部と瓦本体との隙間に配置されており、第２対向部と瓦本体に連結される挿入部を備えていてもよい。挿入部の板厚は、第２対向部の板厚よりも薄くてもよい。葺設時に、挿入部は、尻頭方向の他方の端部に隣接する瓦の第１対向部と瓦本体との隙間に挿入されてもよい。この構成によれば、第２対向部と瓦本体とを挿入部を介して連結することができる。この結果、第２対向部の瓦本体側の端と瓦本体とが離間している場合と比較して、第２対向部が破損することを抑制することができる。
【００１３】
（特徴４）  袖瓦では、尻側の端部に第１対向部が配置されていてもよく、頭側の端部に第２対向部が配置されていてもよい。この構成によれば、尻側に配置される瓦の瓦本体を頭側に配置される瓦の瓦本体よりも上方に配置することができる。この結果、瓦が葺設された場合に、尻側から頭側に流れる水が尻頭方向に並ぶ瓦の隙間から瓦の裏側に流れることを抑制することができる。
【実施例】
【００１４】
図１に示すように、本実施例の袖瓦１０は、切妻屋根等の破風部分に用いられる。なお、袖瓦１０において、葺設時の上側端及び下側端のそれぞれは「尻」及び「頭」と呼ばれる。本明細書では、尻と頭とを結ぶ方向を「尻頭方向」と呼ぶ。袖瓦１０は、屋根の破風部分に沿って、尻頭方向に並べて配置される。袖瓦１０の尻頭方向と垂直な方向には、瓦５０が葺設される。本明細書では、尻頭方向と垂直に瓦５０が並ぶ方向を「左右方向」と呼ぶ。
【００１５】
図２に示すように、袖瓦１０は、瓦本体１２と垂れ部１４とを備える。瓦本体１２は、全体的に湾曲した形状を有する。図１に示すように、尻側（即ち屋根の上側）に配置される袖瓦１０の瓦本体１２の頭側の一部が、頭側（即ち屋根の下側）に配置される袖瓦１０の瓦本体１２の尻側の一部に上方から重複するように葺設される。図２に戻って、瓦本体１２の尻端には、雨水が瓦本体１２から尻側に落下しないように突堤部１６が配置されている。突堤部１６は、瓦本体１２の尻端縁に沿って、左右方向に伸びる。
【００１６】
瓦本体１２の破風側の端には、瓦本体１２から下方に伸びる垂れ部１４が配置されている。垂れ部１４は、瓦本体１２の破風側の端縁と同一平面上に配置されている。図３に示すように、垂れ部１４は、垂れ部本体１８と、第１対向部２０（図４参照）と、第２対向部２２と、挿入部２４を備える。垂れ部１４の頭側の端部には、第２対向部２２と挿入部２４とが配置されている。第２対向部２２は、瓦本体１２の裏面１２ａと対向する対向面２２ａを有する。第２対向部２２の瓦本体１２側の端には、対向面２２ａの面積を拡張するための拡張部２６が配置されている。拡張部２６は、第２対向部２２が瓦本体側に突出することによって構成される。
【００１７】
第２対向部２２の瓦本体１２側の端（即ち上端）には、挿入部２４が連結されている。挿入部２４は、瓦本体１２側の端（即ち上端）において、瓦本体１２の裏面１２ａに連結されている。言い換えると、挿入部２４は、第２対向部２２と瓦本体１２との隙間に配置されている。挿入部２４の尻頭方向の長さは、第２対向部２２の尻頭方向の長さと一致する。挿入部２４の板厚（即ち左右方向の長さ）は、第２対向部２２の板厚よりも薄い。図２に示すように、挿入部２４の外側面２４ａは、第２対向部２２の外側面２２ｂと同一平面上に配置されている。図３に示すように、挿入部２４の内側面２４ｂは、第２対向部２２の内側面２２ｃよりも左右方向外側に位置する。
【００１８】
第２対向部２２及び挿入部２４の尻側の端には、垂れ部本体１８が連結されている。言い換えれば、第２対向部２２及び挿入部２４は、垂れ部本体１８の頭側の端から突出している。垂れ部本体１８は、拡張部２６を除く第２対向部２２と同一の板厚を有する平板形状を有する。垂れ部本体１８の下端面（図３の上方の端面）は、第２対向部２２の下端面と同一平面上に配置されている。一方、垂れ部本体１８の上端面は、第２対向部２２の上端面より上方に位置し、瓦本体１２と連結している。言い換えると、第２対向部２２の上下方向の長さは、垂れ部本体１８の上下方向の長さよりも短い。垂れ部本体１８の下端面は、頭側から尻側に向かって徐々に瓦本体１２側に傾斜している。図４に示すように、垂れ部本体１８の尻側の端１８ａは、瓦本体１２の尻側の端よりも頭側に位置する。このため、袖瓦１０の尻側の端面は、瓦本体１２と垂れ部本体１８とによる段差を有する。
【００１９】
垂れ部本体１８の尻側の端１８ａには、第１対向部２０が配置されている。第１対向部２０は、垂れ部本体１８の尻側の端から尻側に突出しており、垂れ部本体１８の上下方向に沿って伸びている。第１対向部２０の板厚（即ち左右方向の長さ）は、垂れ部本体１８の板厚よりも薄い。第１対向部２０は、瓦本体１２と左右方向に隙間を有して対向している。
【００２０】
図５、図６を参照して、袖瓦１０の葺設時の状態を説明する。なお、図５、図６では、理解を容易にするために、尻側（即ち上方）に配置される袖瓦１０を「袖瓦１０Ｘ」と呼び、袖瓦１０Ｘの各部については、符号に「Ｘ」を付す。同様に、頭側（即ち下方）に配置される袖瓦１０を「袖瓦１０Ｙ」と呼び、袖瓦１０Ｙの各部については、符号に「Ｙ」を付す。また、図５、図６では袖瓦１０Ｘ，１０Ｙは、上下反転している。なお、図６では、袖瓦１０Ｘの尻側に袖瓦１０（「袖瓦１０Ｚ」と呼ぶ）がさらに配置されている。図５に示すように、葺設時には、尻側の袖瓦１０Ｘの瓦本体１２Ｘが、頭側の袖瓦１０Ｙの瓦本体１２Ｙの上方に重複するように配置される。これにより、尻側から頭側に流れる水が尻頭方向に並ぶ袖瓦１０の隙間から袖瓦１０の裏側に流れることを抑制することができる。
【００２１】
葺設時には、袖瓦１０Ｙの尻側端部に配置されている第１対向部２０Ｙと瓦本体１２Ｙとの隙間に、挿入部２４Ｘが配置される。この構成によれば、袖瓦１０Ｘが頭側に隣接する袖瓦１０Ｙに対して左右方向にずれようとすると、挿入部２４Ｘが第１対向部２０Ｙと瓦本体１２Ｙの一方に当接して左右方向のずれが抑制される。一方、袖瓦１０Ｙが尻側に隣接する袖瓦１０Ｘに対して左右方向にずれようとすると、第１対向部２０Ｙと瓦本体１２Ｙの一方が挿入部２４Ｘに当接して左右方向のずれが抑制される。また、第１対向部２０Ｙが垂れ部本体１８の上下方向に沿って伸びているため、垂れ部１４Ｘは、上下方向の全長に亘って第１対向部２０Ｙと当接する。このため、袖瓦１０Ｘ，１０Ｙの左右方向のずれが適切に抑制される。
【００２２】
葺設時には、さらに、袖瓦１０Ｘの頭側端部に配置されている第２対向部２２Ｘと瓦本体１２Ｘとの隙間に、袖瓦１０Ｙの瓦本体１２Ｙの尻側端部が配置される。この構成によれば、袖瓦１０Ｘが頭側に隣接する袖瓦１０Ｙに対して上下方向にずれようとすると、第２対向部２２Ｘと瓦本体１２Ｘの一方が瓦本体１２Ｙに当接して上下方向のずれが抑制される。一方、袖瓦１０Ｙが尻側に隣接する袖瓦１０Ｘに対して上下方向にずれようとすると、瓦本体１２Ｙが第２対向部２２Ｘと瓦本体１２Ｘの一方に当接して上下方向のずれが抑制される。
【００２３】
同様に、袖瓦１０Ｘと袖瓦１０Ｘの尻側に配置される袖瓦１０Ｚとによって、袖瓦１０Ｘ、１０Ｚの上下左右方向のずれが抑制される。
【００２４】
上記の構成によれば、葺設され、尻頭方向に複数の袖瓦１０が隣接配置されている状態では、袖瓦１０Ｘは、尻側において尻側に隣接する袖瓦１０Ｚによって、上下左右方向のずれが規制されるとともに、頭側において頭側に隣接する袖瓦１０Ｙによって、上下左右方向のずれが規制される。
【００２５】
また、第１対向部２０の板厚は、垂れ部本体１８の板厚よりも薄い。この構成によれば、第１対向部２０の外側面と垂れ部本体１８の外側面とに段差が生じることなく、第１対向部２０と瓦本体１２とを隙間を有して対向させることができる。また、第２対向部２２の上下方向の長さは、垂れ部本体１８の上下方向の長さよりも短い。これにより、垂れ部本体１８の下端面と第２対向部２２の下端面と同一平面上に配置させた状態で、第２対向部２０と瓦本体１２とを隙間を有して対向させることができる。これにより、垂れ部１４の外観を損なわずに、第１対向部２０、第２対向部２２を垂れ部１４に配置することができる。
【００２６】
さらに、挿入部２４を配置することによって、第２対向部２２と瓦本体１２とが離間している構成と比較して、第２対向部２２が破損することを抑制することができる。
【００２７】
（第２実施例）
図７，８を参照して、第１実施例と異なる点を説明する。図７に示すように、袖瓦１００は、瓦本体１１２と垂れ部１１４とを備える。瓦本体１１２は、後で説明する箇所を除いて、瓦本体１２と同様の構成を有する。
【００２８】
瓦本体１１２の破風側の端には、瓦本体１１２から下方に伸びる垂れ部１１４が配置されている。垂れ部１１４は、瓦本体１１２の破風側の端縁と同一平面上に配置されている。垂れ部１１４は、垂れ部本体１１８と、第１対向部１２０と（図８参照）、第２対向部１２２を備える。垂れ部１１４の頭側の端部には、第２対向部１２２が配置されている。第２対向部１２２は、瓦本体１１２の裏面１１２ａと対向する対向面１２２ａを有する。裏面１１２ａと対向面１２２ａとの間は、左右方向に貫通している。
【００２９】
第２対向部１２２の尻側の端には、平板形状の垂れ部本体１１８が連結されている。垂れ部本体１１８の下端面（図７の上方の端面）は、第２対向部１２２と同一平面上に配置されている。垂れ部本体１１８の下端面は、頭側から尻側に向かって徐々に瓦本体１１２側に傾斜している。
【００３０】
図８に示すように、垂れ部本体１１８の尻側の端１１８ａは、瓦本体１１２の尻側の端よりも頭側に位置する。垂れ部本体１１８の尻側の端１１８ａには、第１対向部１２０が配置されている。第１対向部１２０は、垂れ部本体１１８の尻側の端から尻側に突出しており、垂れ部本体１１８の上下方向に沿って伸びている。第１対向部１２０の板厚（即ち左右方向の長さ）は、垂れ部本体１１８の板厚よりも薄い。垂れ部本体１１８の尻側の端１１８ａには、さらに、瓦本体１１２の挿入部１２４が配置されている。挿入部１２４は、尻側の端１１８ａから尻側に伸びる。挿入部１２４の尻頭方向の長さは、第１対向部１２０の尻頭方向の長さよりも短い。第１対向部１２０は、挿入部１２４よりも尻側において、瓦本体１１２と左右方向に隙間を有して対向している。
【００３１】
図９、図１０に示すように、袖瓦１００の葺設時には、尻側の袖瓦１００（以下では尻側の袖瓦１００の符号に「Ｘ」を付す）の瓦本体１１２Ｘが、頭側の袖瓦１００（以下では頭側の袖瓦１００の符号に「Ｙ」を付す）の瓦本体１１２Ｙの上方に重複するように配置される。なお、図９、図１０では袖瓦１００Ｘ，１００Ｙは、上下反転している。
【００３２】
袖瓦１００Ｙの尻側端部に配置されている第１対向部１２０Ｙと瓦本体１１２Ｙとの隙間に、垂れ部本体１１８Ｘが配置される。なお、第１対向部１２０Ｙは、垂れ部１１４Ｘの外側に当接する。この構成によれば、垂れ部本体１１８Ｘと第１対向部１２０Ｙあるいは瓦本体１１２Ｙとが当接することによって、袖瓦１００Ｘ，１００Ｙの左右方向のずれが抑制される。
【００３３】
さらに、袖瓦１００Ｘの頭側端部に配置されている第２対向部１２２Ｘと瓦本体１１２Ｘとの隙間に、袖瓦１００Ｙの瓦本体１１２Ｙの挿入部１２４Ｙが配置される。この構成によれば、挿入部１２４Ｙと第２対向部１２２Ｘあるいは瓦本体１１２Ｘとが当接することによって、袖瓦１００Ｘ，１００Ｙの上下方向のずれが抑制される。
【００３４】
同様に、袖瓦１００Ｘと袖瓦１００Ｘの尻側に配置される袖瓦１００Ｚとによって、袖瓦１００Ｘ、１００Ｚの上下左右方向のずれが抑制される。
【００３５】
上記の構成によれば、葺設され、尻頭方向に複数の袖瓦１００が隣接配置されている状態では、袖瓦１００Ｘは、尻側において尻側に隣接する袖瓦１００Ｚによって、上下左右方向のずれが規制されるとともに、頭側において頭側に隣接する袖瓦１００Ｙによって、上下左右方向のずれが規制される。
【００３６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００３７】
例えば、本明細書に開示される「袖瓦」は、袖瓦１０，１００のように瓦本体１２，１１２が湾曲している形状以外にも、瓦本体が平板形状を有する袖瓦（いわゆる平板瓦）であってもよいし、瓦本体の一部が湾曲し他の一部が平板である袖瓦であってもよい。
【００３８】
また、上記の各実施例では、袖瓦１０，１００は、尻側の端部に第１対向部２０，１２０を有し、頭側の端部に第２対向部２２，１２２を有する。しかしながら、第１対向部２０，１２０が頭側の端部に配置され、第２対向部２２，１２２が尻側の端部に配置されていてもよい。
【００３９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４０】
１０，１００：袖瓦
１２，１１２：瓦本体
１４，１１４：垂れ部
１６：突堤部
１８：垂れ部本体
２０，１２０：第１対向部
２２，１２２：第２対向部
２４，１２４：挿入部
２６：拡張部
【図１】
2016121437.tif 000003
【図２】
2016121437.tif 000004
【図３】
2016121437.tif 000005
【図４】
2016121437.tif 000006
【図５】
2016121437.tif 000007
【図６】
2016121437.tif 000008
【図７】
2016121437.tif 000009
【図８】
2016121437.tif 000010
【図９】
2016121437.tif 000011
【図１０】
2016121437.tif 000012